(57)【特許請求の範囲】
【請求項１】
表示部と、前記表示部に対する接触操作を検出する操作部と、前記表示部に複数の情報
を表示させる制御部と、を備え、
前記制御部は、前記操作部によって、表示中のいずれかの情報を移動させる操作を検出
した場合に、この操作に従って情報の表示位置を移動させ、この情報の表示位置が他の表
示中の情報の表示位置に重なった場合に、これら２つの情報の相関を示す相関表示部を前
記表示部に表示させること、
を特徴とする電子時計。
【請求項２】
前記制御部は、前記相関表示部の表示中に、前記操作部によって検出した操作に従って
情報の表示位置を移動させ、この情報の表示位置が前記相関表示部に重なった場合には、
移動させた情報に関する別の相関を、前記相関表示部に追加して表示させること、
を特徴とする請求項１記載の電子時計。
【請求項３】
前記制御部は、前記表示部に時刻を含む複数の情報を表示させ、
前記操作部によって検出した操作に従って時刻の表示位置を移動させ、時刻の表示位置
が物理量を示す情報の表示位置に重なった場合に、この物理量の経時変化を示すグラフを
前記相関表示部に表示させること、
を特徴とする請求項１または２記載の電子時計。
【請求項４】
前記制御部は、前記操作部によって検出した操作に従って表示位置を移動させた情報が
時刻であった場合は、前記相関表示部を表示させた後に元の表示位置に時刻を表示させ、
表示位置を移動させた情報が時刻以外の情報であった場合は、この情報の表示位置を前記
相関表示部に移動させること、
を特徴とする請求項３記載の電子時計。
【請求項５】
前記制御部は、前記操作部によって、表示中のいずれかの情報に重なる位置への接触が
検出され、さらに接触状態を保ったまま接触位置が移動する操作が検出された場合に、こ
の操作に従って、接触された情報の表示位置を接触位置の軌跡に沿って移動させること、
を特徴とする請求項１から４のいずれかに記載の電子時計。
【請求項６】
前記操作部は、前記表示部に重畳配置された透光性の接触センサと、前記接触センサに
より接触操作を検出して接触位置を特定する操作検出部と、を備えること、
を特徴とする請求項１から５のいずれかに記載の電子時計。
【請求項７】
表示部と、前記表示部に対する接触操作を検出する操作部と、を備えた電子時計を制御
して、
前記表示部に複数の情報を表示させ、前記操作部によって表示中のいずれかの情報を移
動させる操作が検出された場合に、この操作に従って情報の表示位置を移動させ、この情
報の表示位置が他の表示中の情報の表示位置に重なった場合には、これら２つの情報の相
関を示す相関表示部を前記表示部に表示させること、
を特徴とする電子時計における情報表示方法。
【発明の詳細な説明】
【技術分野】
【０００１】
本発明は、電子時計、及び、電子時計における情報表示方法に関する。
【背景技術】
【０００２】
従来、電子時計において時刻の他に様々な情報を表示する機能を備えたものが知られて
おり、例えば、温度表示機能を備えたものがあった（例えば、特許文献１参照）。
【特許文献１】特開平５−７２３５７号公報
【発明の開示】
【発明が解決しようとする課題】
【０００３】
ところで、時計が有する表示面積は限られているため、表示しようとする情報が増える
ほど、これらの情報を見やすく表示することは非常に難しくなる。また、様々な情報を切
り替えて表示する構成とした場合には、表示切り替えを指示する操作が煩雑になってしま
うという問題がある。
本発明は、上述した事情に鑑みてなされたものであり、様々な情報を見やすく表示する
ことが可能で、かつ、簡単な操作で表示を切り替え可能な電子時計を提供することを目的
とする。
【課題を解決するための手段】
【０００４】
上記目的を達成するために、本発明は、表示部と、前記表示部に対する接触操作を検出
する操作部と、前記表示部に複数の情報を表示させる制御部と、を備え、前記制御部は、
前記操作部によって、表示中のいずれかの情報を移動させる操作を検出した場合に、この
操作に従って情報の表示位置を移動させ、この情報の表示位置が他の表示中の情報の表示
位置に重なった場合に、これら２つの情報の相関を示す相関表示部を前記表示部に表示さ
せること、を特徴とする電子時計を提供する。
【０００５】
上記構成において、前記制御部は、前記相関表示部の表示中に、前記操作部によって検
出した操作に従って情報の表示位置を移動させ、この情報の表示位置が前記相関表示部に
重なった場合には、移動させた情報に関する別の相関を、前記相関表示部に追加して表示
させてもよい。
また、上記構成において、前記制御部は、前記表示部に時刻を含む複数の情報を表示さ
せ、前記操作部によって検出した操作に従って時刻の表示位置を移動させ、時刻の表示位
置が物理量を示す情報の表示位置に重なった場合に、この物理量の経時変化を示すグラフ
を前記相関表示部に表示させてもよい。
【０００６】
さらに、上記構成において、前記制御部は、前記操作部によって、表示中のいずれかの
情報に重なる位置への接触が検出され、さらに接触状態を保ったまま接触位置が移動する
操作が検出された場合に、この操作に従って、接触された情報の表示位置を接触位置の軌
跡に沿って移動させてもよい。
上記構成において、前記操作部は、前記表示部に重畳配置された透光性の接触センサと
、前記接触センサにより接触操作を検出して接触位置を特定する操作検出部と、を備える
ものとしてもよい。
【０００７】
また、本発明は、表示部と、前記表示部に対する接触操作を検出する操作部と、を備え
た電子時計を制御して、前記表示部に複数の情報を表示させ、前記操作部によって表示中
のいずれかの情報を移動させる操作が検出された場合に、この操作に従って情報の表示位
置を移動させ、この情報の表示位置が他の表示中の情報の表示位置に重なった場合には、
これら２つの情報の相関を示す相関表示部を前記表示部に表示させること、を特徴とする
電子時計における情報表示方法を提供する。
【発明の効果】
【０００８】
本発明によれば、表示部に表示されている情報を、他の情報の表示位置に重なるように
移動させる操作により、複雑な表示切り替え操作を行うことなく、２つの情報の相関を表
示させることができる。また、情報の相関を表示する状態に容易に移行できるため、通常
時は相関を表示しなくてもよいので、表示部における各種情報の配置に関する自由度が高
まり、より見やすい配置を容易に実現できる。
【発明を実施するための最良の形態】
【０００９】
［第１の実施形態］
図１は、本発明の電子時計を適用した第１の実施形態に係る時計１の構成を示す正面図
である。
この図１に示す時計１は、腕に装着可能なバンド１１が取り付けられた本体ケース１２
を有する腕時計である。
時計１は、本体ケース１２の表面全体に配設された表示部としての表示パネル２を備え
、この表示パネル２に各種情報を表示する。本第１の実施形態では、高度表示２１、時刻
表示２２、及び温度表示２３を表示する場合を例示する。
表示パネル２は、本体ケース１２の表面のほぼ全体に広がる略四角形の表示領域を有し
、この表示領域全体を覆う透明なガラスまたは合成樹脂製の風防（図示略）を備えている
。この風防には、タッチセンサ３７（図２）が重畳配置されている。タッチセンサ３７は
、後述するように、少なくとも表示パネル２の表示領域に重なる範囲において、接触操作
を検出するセンサである。
【００１０】
図２は、時計１の制御系３０の構成を示すブロック図である。
この図２に示すように、時計１の制御系３０は、各部を制御する制御部３１に、計時部
３２、気圧検出部３３、温度検出部３４、表示制御部３５、操作検出部３８、及び方位検
出部３９の各部が接続されて構成されている。また、表示制御部３５には表示ドライバ３
６を介して表示パネル２が接続され、操作検出部３８にはタッチセンサ３７が接続されて
いる。なお、操作検出部３８は、接触センサとしてのタッチセンサ３７とともに操作部と
して機能する。
【００１１】
制御部３１は、計時部３２、気圧検出部３３、温度検出部３４、及び方位検出部３９か
ら入力される検出信号に従って、現在時刻、時計１の周辺環境の気圧、温度、及び、時計
１が向いている方位を求め、これらの情報を表示するための制御データを表示制御部３５
に出力して、表示パネル２に上記情報を表示させる。ここで、制御部３１は、気圧検出部
３３の検出信号に基づいて気圧を算出し、この気圧から、時計１の周囲の高度（標高）を
算出して、算出した標高の値を表示パネル２に表示させる。
また、制御部３１は、操作検出部３８から入力される制御データに基づいて、タッチセ
ンサ３７が検出した接触操作と操作位置とを特定する。ここで、制御部３１は、特定した
操作が、表示パネル２に表示中の情報の表示位置を変える操作であった場合、この操作に
応じて、情報の表示位置を指定する制御データを表示制御部３５に出力する。
さらに、制御部３１は、特定した操作に応じて、情報の表示位置を変更した結果、操作
された情報の位置が他の情報の表示位置に重なる場合には、これら重なる２つの情報の相
関を示すグラフを表示パネル２に表示させる。ここで、グラフを表示した後に、制御部３
１は、操作された情報を、もとの表示位置またはグラフの近傍に表示させる。
さらにまた、制御部３１は、表示パネル２への操作に追従して情報の表示位置を変更し
、この操作が、他の情報の表示位置に重なることなく終了した場合には、この操作の終了
した位置を、操作された情報の新たな表示位置として設定する。
【００１２】
計時部３２は、内蔵する水晶発振器（図示略）の発振信号を所定の比率で分周すること
により１秒間に１パルスの計時信号を生成し、この計時信号に従って現在時刻を計時する
ＲＴＣ（Real Time Clock）である。計時部３２は、１秒に１回、或いは、制御部３１か
ら要求されたタイミングで、現在時刻を示す時刻信号を制御部３１に出力する。
気圧検出部３３は、本体ケース１２の内部に収容された圧力センサ（図示略）を備え、
この圧力センサにより検出した圧力を示す検出信号を、所定周期で、或いは、制御部３１
から要求されたタイミングで、制御部３１に出力する。
温度検出部３４は、本体ケース１２の内部に収容された温度センサ（図示略）を備え、
この温度センサにより検出した温度を示す検出信号を、所定周期で、或いは、制御部３１
から要求されたタイミングで、制御部３１に出力する。
また、方位検出部３９は、２軸の磁気センサ（図示略）を用いて本体ケース１２の１２
時方向に重なる方位を検出する。方位検出部３９は、加速度センサや３軸の磁気センサを
備え、本体ケース１２の方位だけでなく姿勢をも検出するものとしてもよいが、本第１の
実施形態では方位のみを検出するものであればよい。方位検出部３９は、本体ケース１２
の１２時方向の方位を示す検出信号を、所定周期で、或いは、制御部３１から要求された
タイミングで、制御部３１に出力する。
【００１３】
表示制御部３５は、制御部３１から入力される制御データに従って、各種情報を指定さ
れた位置に表示するための表示信号を生成し、表示ドライバ３６へ出力する。
表示ドライバ３６は、表示制御部３５から入力される表示信号に従って、表示パネル２
を駆動し、表示パネル２が備える表示素子（図示略）に駆動電流を供給することにより、
表示パネル２に表示を実行させる。ここで、表示パネル２としては、自発光する発光素子
を用いた有機ＥＬ（Electro-Luminescence）パネルを用いることが可能であるが、この他
に、液晶表示パネルを用いることも可能である。また、表示パネル２は、単色、２色また
はフルカラー表示パネルのいずれであってもよい。
【００１４】
タッチセンサ３７は、上述したように表示パネル２の風防（図示略）に重畳配置される
センサであり、抵抗膜方式、静電容量方式、電磁誘導方式等により表示パネル２の風防表
面（以下、表示パネル２の表面という）に対する接触操作を検出する。ここで、表示制御
部３５が抵抗膜方式や静電容量方式を用いるものであれば、時計１のユーザの手指やペン
型の指示器による操作が可能であり、電磁誘導方式を用いる場合はコイルと発信器を内蔵
した指示器による操作が可能である。
操作検出部３８は、タッチセンサ３７における検出状態を、所定のサンプリング周期で
取得して解析することにより、表示パネル２の表面に対する接触操作の有無及び接触位置
を特定して、接触操作の有無と接触位置の座標とを示す制御データを制御部３１に出力す
る。
また、操作検出部３８には、表示制御部３５から表示信号が入力されており、操作検出
部３８は、この表示信号に基づいて、表示パネル２に表示中の情報と表示位置とを特定す
る。そして、操作検出部３８は、接触操作の有無と接触位置の座標とともに、表示パネル
２に表示中の他の情報の表示位置を示す情報を、制御データに含ませて制御部３１に出力
する。
【００１５】
図３及び図４は、時計１が接触操作に応じて情報の表示位置を変更する動作を示す図で
あり、図３Ａ、図３Ｂ、図３Ｃ、図４Ａ及び図４Ｂは、いずれも表示パネル２の表示状態
を示す平面図である。
図３Ａに示す表示状態では、表示パネル２のほぼ中央に高度表示２１が配置され、表示
パネル２の左下の隅に時刻表示２２が配置され、表示パネル２の右下隅に温度表示２３が
配置されている。
ここで、図３Ｂに示すように、ユーザの指により、左下隅の時刻表示２２が、表示パネ
ル２のほぼ中央までドラッグ操作された場合を想定する。ドラッグ操作とは、表示パネル
２の表面に接触する操作の後、接触したまま接触位置を移動させる操作である。
時刻表示２２の表示位置に指が接触し、そのまま指が表示パネル２のほぼ中央に移動さ
れると、制御部３１及び表示制御部３５は、この指の移動に追従するように時刻表示２２
の表示位置を移動させる。そして、指とともに移動する時刻表示２２の表示位置が、高度
表示２１の表示位置に重なると、制御部３１は、表示パネル２に時刻と高度との相関を表
示させる。
【００１６】
すなわち、制御部３１は、図３Ｃに示すように、表示パネル２には新たにグラフ表示枠
２４を表示させ、このグラフ表示枠２４内に、時計１が位置した高度と時刻の相関、すな
わち時計１が検出した高度の経時変化を示す高度−時刻グラフ２５を表示させる。ここで
、時刻表示２２の表示位置はもとの左下隅に戻り、高度表示２１はグラフ表示枠２４内に
配置される。
また、図示はしないが、高度表示２１、時刻表示２２、又は温度表示２３のいずれかの
表示位置に指で接触する操作が行われ、そのまま、他の情報の表示位置に重ならない位置
へドラッグ操作が行われた場合、制御部３１は、ドラッグ操作の終了した場所を、操作さ
れた情報の新たな表示位置として設定する。このため、グラフ表示枠２４を表示しない場
合には、情報の表示位置が、指の操作に応じて変更される。
【００１７】
ところで、図３Ｃに示すようにグラフ表示枠２４が表示された状態で、再び指による度
ラグ操作が行われると、制御部３１は、図４Ａに示すように、このドラッグ操作に追従す
るように情報の表示位置を変更する。図４Ａでは、指によるドラッグ操作に追従するよう
に温度表示２３が移動される。
ここで、温度表示２３がグラフ表示枠２４に重なる位置まで移動されると、制御部３１
は、図４Ｂに示すように、表示パネル２に時刻と温度との相関を表示させる。すなわち、
制御部３１は、グラフ表示枠２４に、既に表示中の高度−時刻グラフ２５に加えて、新た
に温度の経時変化を示す温度−時刻グラフ２６を表示させる。ここで、温度表示２３はグ
ラフ表示枠２４内の右下に配置される。
【００１８】
このように、制御部３１は、表示パネル２への接触操作のうち、高度表示２１、時刻表
示２２または温度表示２３が表示された位置を起点としてドラッグ操作が行われた場合に
、ドラッグ操作に追従するように情報の表示位置を変化させる。そして、ドラッグ操作中
に他の情報の表示位置と接触位置とが重なると、制御部３１は、重なった２つの情報の相
関をグラフ表示枠２４に表示させる。
なお、図３Ａ〜Ｃ及び図４Ａ〜Ｂには、グラフ表示枠２４に表示される高度−時刻グラ
フ２５及び温度−時刻グラフ２６が、いずれも時刻との相関を示すグラフであったが、こ
れはあくまで一例に過ぎず、例えば、温度表示２３がグラフ表示枠２４にドラッグ操作さ
れた場合に、高度と温度との相関を示すグラフを、グラフ表示枠２４に表示してもよい。
また、グラフ表示枠２４をグラフの数だけ配置してもよい。つまり、図４Ｂに示すように
温度−時刻グラフ２６を新たに表示させる際に、別のグラフ表示枠２４を配置させ、この
中に温度−時刻グラフ２６を表示させてもよい。
【００１９】
図５は、上述した時計１の動作を示すフローチャートである。
時計１の制御系３０における制御部３１は、表示パネル２に対する接触操作を検出し、
この接触操作がドラッグ操作であると特定すると、ドラッグ操作の軌跡に追従して情報の
表示位置を変更する動作を開始する（ステップＳ１１）。
制御部３１は、ドラッグ操作の位置が他の情報に重なるか否かを判別し（ステップＳ１
２）、他の情報の表示位置に重ならずにドラッグ操作が終了した場合（ステップＳ１２；
Ｎｏ）、制御部３１は、ドラッグ操作が終了した位置に情報を表示させ（ステップＳ１３
）、本処理を終了する。
【００２０】
一方、ドラッグ操作中に接触位置が他の情報に重なった場合（ステップＳ１２；Ｙｅｓ
）、制御部３１は、表示パネル２において既にグラフを表示中であるか否かを判別し（ス
テップＳ１４）、表示パネル２にグラフを表示していない状態であれば（ステップＳ１４
；Ｎｏ）、制御部３１は、表示パネル２にグラフ表示枠を表示させ、さらに、グラフ表示
枠２４内にグラフを表示させる（ステップＳ１５）。また、表示パネル２にグラフを表示
中であれば（ステップＳ１４；Ｙｅｓ）、制御部３１は、表示中のグラフ表示枠内に新た
なグラフを追加して表示させる（ステップＳ１６）。
グラフを表示させた後、制御部３１は、ドラッグ操作された情報を、元の表示位置に表
示させ（ステップＳ１７）、本処理を終了する。
なお、ステップＳ１７において、時刻のみ元の表示位置に表示させ、他の情報をグラフ
表示枠内に表示するようにしてもよい。
【００２１】
以上のように、本発明を適用した実施形態に係る時計１によれば、制御部３１は、タッ
チセンサ３７及び操作検出部３８によって、表示パネル２に表示中の複数の情報のうち、
いずれかの情報を移動させるドラッグ操作を検出した場合に、この操作に従って情報の表
示位置を移動させ、この情報の表示位置が他の表示中の情報の表示位置に重なった場合に
は、重なった２つの情報の相関を示すグラフ表示枠２４を表示パネル２に表示させ、グラ
フ表示枠２４内にグラフを表示させるので、複雑な表示切り替え操作を行うことなく、２
つの情報の相関を表示させることができ、例えば図３Ｃや図４Ｂに示したように、物理量
の経時変化を表示させることができる。また、グラフ表示枠２４を表示する状態に容易に
移行できるため、通常時はグラフ表示枠２４を表示する必要がなく、表示パネル２におけ
る各種情報の配置に関する自由度が高まり、より見やすい配置を容易に実現できる。
さらに、簡単なドラッグ操作によって高度表示２１、時刻表示２２及び温度表示２３の
表示位置を移動させることができるので、必要なときに情報を見やすい位置に移動させる
ことが可能であり、複数の情報を見やすく表示可能な時計１を実現できる。
特に、ドラッグ操作は直感的で簡単に実行可能なため、複雑なボタン操作に比べて非常
に操作が簡単で済むという利点がある。
【００２２】
また、制御部３１は、グラフ表示枠２４の表示中に情報の表示位置を移動させる操作が
行われ、接触操作位置がグラフ表示枠２４に重なった場合には、移動させた情報に関する
別の相関をグラフ表示枠２４に追加して表示させる。このため、図４Ｂに示すように、複
数のグラフを見やすく配置して表示できる。また、図４Ｂでは高度および温度の二つの物
理量をそれぞれ縦軸とし、時間軸を横軸として、経時変化を示すグラフが表示されている
。このように一つのグラフ表示枠２４に表示される複数の相関（グラフ）の横軸を、いず
れも時間軸とすることで、複数の物理量の変化を比較して見ることが可能となる。
さらに、グラフ表示枠２４を表示させた後は時刻表示２２が元の位置に表示されるので
、時刻が常に同じ位置に見えることで、電子時計の基本機能である時刻表示を特に見やす
くしている。
そして、表示パネル２に重畳配置された透光性のタッチセンサ３７と、タッチセンサ３
７により接触操作を検出する操作検出部３８とを備えることで、図１に示したように、本
体ケース１２には竜頭やボタン等を備える必要がない。このため、表示パネル２に表示中
の情報そのものに触れるという簡単な動作で時計１を操作することが可能となり、時計１
において直感的な操作を可能とし、また、ボタンや竜頭を廃することでデザイン上の自由
度が高められる。
【００２３】
なお、上記第１の実施形態においては、表示パネル２に高度表示２１、時刻表示２２及
び温度表示２３が表示される場合を例に挙げて説明したが、本発明はこれに限定されるも
のではなく、方位検出部３９の検出信号に基づいて検出した方位を表示してもよい。
さらに、本体ケース１２が向いている方位と周辺環境との対応を表示パネル２に表示し
てもよく、以下、この場合について第２の実施形態として説明する。
【００２４】
［第２の実施形態］
図６及び図７は、本発明を適用した第２の実施形態に係る時計１の動作を示す図であり
、図６Ａ、図６Ｂ、図６Ｃ、図７Ａ、及び図７Ｂは、いずれも表示パネル２の表示状態を
示す正面図である。
本第２の実施形態に係る時計１の構成は上記第１の実施形態と同様であり、時計１の構
成部については同符号を付して説明を省略する。
【００２５】
図６Ａに示す状態で、表示パネル２の左下隅には時刻表示２２が配置され、右下隅には
温度表示２３が配置されている。そして、表示パネル２のほぼ中央には、全天星座表示部
４１が表示されている。全天星座表示部４１は、時刻表示２２により表示される時刻にお
いて観測可能な全天の星座を表示する領域である。これらの星座には、星の位置を示すド
ットの他、星座の名称や、星と星とを結んで星座を示す直線も表示可能である。全天星座
表示部４１に表示される星や星座に関する情報は、制御部３１が内蔵するメモリ（図示略
）または図示しない記憶部に記憶されており、制御部３１は、現在時刻に対応する情報を
抽出して表示パネル２に表示させる。
さらに、表示パネル２の右上隅には、方位指示記号４２が配置されている。方位指示記
号４２は、方位検出部３９（図２）を用いて検出された、本体ケース１２が向く方位を反
映させるよう指示するためのものであり、指示機能を備えたアイコンである。
【００２６】
ここで、図６Ｂに示すように、ユーザによって、方位指示記号４２を全天星座表示部４
１まで移動させるドラッグ操作が行われると、制御部３１は、方位指示記号４２の表示位
置を、ドラッグ操作に追従させて変化させ、その後、全天星座表示部４１の表示に現在の
方位を反映させるべく表示パネル２の表示を切り替える。
すなわち、図６Ｃに示すように、表示パネル２には、現在の方位の星座を表示する星座
表示４３が切り替えて表示される。図６Ｃの例では、全天星座表示部４１に表示されてい
た星座のうち、星座表示４３には北の空に見える星座のみが表示されている。この図６Ｃ
に示す状態で、時刻表示２２、温度表示２３及び方位指示記号４２は、元の位置に配置さ
れている。
このように、本第２の実施形態では、方位を特定せず星座に関する情報を表示する全天
星座表示部４１に、方位指示記号４２を重ねるようにドラッグ操作が行われた場合に、全
天星座表示部４１の情報から現在の方位に関する情報のみを抽出した星座表示４３が、表
示パネル２に表示されるので、例えば、本体ケース１２を所望の方位に向けてから方位指
示記号４２をドラッグ操作して、その方位の星座を星座表示４３に表示させるようにして
もよい。つまり、第１の実施形態で説明した情報の相関に限らず、所望のタイミングで関
連する情報の抽出及び表示を行わせることも可能となっている。
【００２７】
さらに、星座表示４３が表示された状態で、図７Ａに示すように、時刻表示２２が星座
表示４３へドラッグ操作されると、制御部３１は時刻表示２２の表示位置をドラッグ操作
に追従するように移動させる。そして、ドラッグ操作が終了すると、制御部３１は、図７
Ｂに示すように、星座表示４３に表示された星の位置と時刻との相関、すなわち、物理量
としての星の位置の経時変化に相当する星の軌跡を、星座経時変化表示４４として表示パ
ネル２に表示させる。
このように、星の位置に関する情報を表示する星座表示４３に、時刻表示２２を重ねる
ことで、星の位置と時刻との相関を示す星座経時変化表示４４が切り替えて表示される。
【００２８】
従って、本第２の実施形態によれば、情報表示としての機能を持たず、方位に関する表
示を指示する指示アイコンとしての方位指示記号４２を用い、全天星座表示部４１が表示
された状態で、現在の方位に関する情報のみを抽出させ、星座表示４３を表示させること
ができる。また、星座表示４３が表示された状態では、時刻表示２２を星座表示４３に重
ねることで、星の位置と時間との相関を、星の軌跡として星座経時変化表示４４に表示さ
せる。これにより、簡単な操作によって表示パネル２に表示される情報を様々に切り替え
ることで、限られた表示領域に、複数の情報を見やすく表示することが可能となる。
【００２９】
なお、上述した各実施形態は、あくまでも本発明の一態様を示すものであり、本発明の
範囲内で任意に変形及び応用が可能である。
例えば、上記第１及び第２の実施形態で、表示パネル２の形状は略四角形として説明し
たが、本発明はこれに限定されるものではなく、円形や楕円形としてもよいし、他の多角
形にしてもよい。また、時計１が、ＧＰＳ（Global Positioning System）情報を利用し
て時計１の現在位置の緯度及び経度を求め、表示パネル２に表示する機能を備えたものと
してもよい。
さらに、時計１は、表示パネル２への接触操作に応じて、表示中の高度表示２１、時刻
表示２２、温度表示２３、全天星座表示部４１、方位指示記号４２等の表示サイズを変更
させて、拡大表示または縮小表示させることが可能な構成としてもよい。また、時計１は
、予め設定された複数の表示モードを実行可能であって、表示モードの切り替えを指示す
る操作を、表示パネル２への接触操作により行えるようにしてもよい。また、表示モード
の切り替えを含む時計１への各種操作を、表示パネル２に対して、予め定められたパター
ンで接触することで、行えるようにしてもよい。
また、上記各実施形態において、バンド１１や本体ケース１２を構成する材料は金属、
合成樹脂、合成ゴム、或いは合成または天然繊維等の任意の材料を用いることができ、そ
の他の時計１の細部構成についても任意に変更可能であることは勿論である。
【図面の簡単な説明】
【００３０】
【図１】第１の実施形態に係る時計の構成を示す正面図である。
【図２】時計の制御系の構成を示すブロック図である。
【図３】時計の動作と操作方法との対応を示す図である。
【図４】時計の動作と操作方法との対応を示す図である。
【図５】時計の動作を示すフローチャートである。
【図６】第２の実施形態に係る時計の動作と操作方法との対応を示す図である。
【図７】第２の実施形態に係る時計の動作と操作方法との対応を示す図である。
【符号の説明】
【００３１】
１…時計（電子時計）、２…表示パネル（表示部）、１２…本体ケース、２１…高度表
示、２２…時刻表示、２３…温度表示、２４…グラフ表示枠、２５…高度−時刻グラフ、
２６…温度−時刻グラフ、３０…制御系、３１…制御部、３２…計時部、３５…表示制御
部、３７…タッチセンサ（接触センサ、操作部）、３８…操作検出部（操作部）、４１…
全天星座表示部、４２…方位指示記号、４３…星座表示、４４…星座経時変化表示。
【図１】
0005115286.tif 000002
【図２】
0005115286.tif 000003
【図３】
0005115286.tif 000004
【図４】
0005115286.tif 000005
【図５】
0005115286.tif 000006
【図６】
0005115286.tif 000007
【図７】
0005115286.tif 000008